(57)【要約】【課題】商品案内板の板厚が小さい場合においても通路幅設定部材の引っ掛かりや脱落を防止することにより、投入口通路の通路幅の設定操作を容易に行うことのできる自動販売機の商品搬出装置を提供する。【解決手段】投入口通路１６の通路幅方向に延びるスリット１７ｃを商品案内板１７に設け、スリット１７ｃ内を投入口通路１６の通路幅方向に移動可能に設けられ、端部を商品投入口１５側に屈曲した操作片１８ｃを通路幅設定部材１８に設けたので、通路幅設定部材１８を投入口通路１６の通路幅方向に移動させるときに、操作片１８ｃによって商品案内板１７に対する通路幅設定部材１８の商品投入口１５側への移動を規制することができるとともに、商品案内板１７のスリット１７ｃの廻りの部材が撓むことによるスリット１７ｃからの操作片１８ｃの外れを防止することができる。【選択図】図８
2007323400.tif 000002
【特許請求の範囲】
【請求項１】
上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品案内板に設けられた係合孔と係合可能に設けられ、商品案内板の商品投入口側の端部に商品投入口側の端部が商品投入口の外側から係合するとともに、商品投入口の幅方向に移動可能に、且つ、上下に回転可能に連結するように設けられた通路幅設定部材とを備え、通路幅設定部材の商品通路側の端部を持ち上げることにより、通路幅設定部材と商品案内板の係合孔との係合を解除して通路幅設定部材を商品投入口の幅方向に移動させ、通路幅設定部材を所定の係合孔に係合させることにより、通路幅設定部材によって商品投入口と商品通路との間の投入口通路の通路幅を設定するようにした自動販売機の商品収納装置において、
前記商品案内板に、投入口通路の通路幅方向に延びるスリットを設け、
通路幅設定部材に、スリット内を投入口通路の通路幅方向に移動可能に設けられ、端部を商品投入口側に屈曲した操作片を設けた
ことを特徴とする自動販売機の商品収納装置。
【請求項２】
前記通路幅設定部材の商品投入口側の端部を、上方に移動させることにより商品案内板の商品投入口側の端部との連結を解除可能に設けた
ことを特徴とする請求項１記載の自動販売機の商品収納装置。
【発明の詳細な説明】
【技術分野】
【０００１】
本発明は、缶、ビンまたはペットボトル入り飲料等の商品を販売する自動販売機の商品収納装置に関するものである。
【背景技術】
【０００２】
従来、この種の自動販売機の商品収納装置としては、上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品案内板に設けられた係合孔と係合可能に設けられ、商品案内板の商品投入口側の端部に商品投入口側の端部が商品投入口の外側から係合するとともに、商品投入口の幅方向に移動可能に、且つ、上下に回転可能に連結するように設けられた通路幅設定部材とを備え、通路幅設定部材の商品通路側の端部を持ち上げることにより、通路幅設定部材と商品案内板の係合孔との係合を解除して通路幅設定部材を商品投入口の幅方向に移動させ、通路幅設定部材を所定の係合孔に係合させることにより、通路幅設定部材によって商品投入口と商品通路との間の投入口通路の通路幅を設定するようにしたものが知られている（例えば、特許文献１）。
【０００３】
前記商品収納装置は、商品案内板に、投入口通路の通路幅方向に延びるスリットを設けるとともに、通路幅設定部材に、スリット内を投入口通路の通路幅方向に移動可能な係合突起を設けることにより、通路幅設定部材を投入口通路の通路幅方向に移動させる際に係合突起がスリットに沿って移動することにより、通路幅設定部材の商品投入口側と商品通路側が投入口通路の通路幅方向に位置ずれを生じることなく、通路幅設定部材を投入口通路の延びる方向と平行に移動させることが可能となっている。
【特許文献１】特開２００５−９２７６７号公報
【発明の開示】
【発明が解決しようとする課題】
【０００４】
しかしながら、従来の自動販売機の商品収納装置では、通路幅設定部材の前端側が商品案内板の前端側に商品投入口の外側から係合するとともに、係合突起の端部が商品通路側に屈曲されているため、通路幅設定部材の後端側を持ち上げて係合孔と通路幅設定部材との係合を解除して通路幅設定部材を投入口通路の通路幅方向に移動させると、商品案内板の板厚が小さい場合には、商品案内板のスリット付近の板材が撓むことにより、通路幅設定部材が商品案内板に対して商品投入口側に位置ずれを生じて係合突起がスリットに引っ掛かったり、係合突起がスリットから外れて通路幅設定部材が商品案内板から脱落するおそれがある。
【０００５】
本発明の目的とするところは、商品案内板の板厚が小さい場合においても通路幅設定部材の引っ掛かりや脱落を防止することにより、投入口通路の通路幅の設定操作を容易に行うことのできる自動販売機の商品搬出装置を提供することにある。
【課題を解決するための手段】
【０００６】
本発明は前記目的を達成するために、上下方向に延びるように設けられ、商品が積み重ねて収納される商品通路と、商品投入口から商品通路の上端に向かって下り傾斜をなすように設けられ、商品投入口から投入された商品を商品通路に案内する商品案内板と、商品案内板に設けられた係合孔と係合可能に設けられ、商品案内板の商品投入口側の端部に商品投入口側の端部が商品投入口の外側から係合するとともに、商品投入口の幅方向に移動可能に、且つ、上下に回転可能に連結するように設けられた通路幅設定部材とを備え、通路幅設定部材の商品通路側の端部を持ち上げることにより、通路幅設定部材と商品案内板の係合孔との係合を解除して通路幅設定部材を商品投入口の幅方向に移動させ、通路幅設定部材を所定の係合孔に係合させることにより、通路幅設定部材によって商品投入口と商品通路との間の投入口通路の通路幅を設定するようにした自動販売機の商品収納装置において、前記商品案内板に、投入口通路の通路幅方向に延びるスリットを設け、通路幅設定部材に、スリット内を投入口通路の通路幅方向に移動可能に設けられ、端部を商品投入口側に屈曲した操作片を設けている。
【０００７】
これにより、操作片の端部がスリットの商品投入口側の部材の下方に位置するように屈曲されていることから、操作片によって商品案内板に対する通路幅設定部材の商品投入口側への移動が規制され、商品案内板のスリットの廻りの部材が撓むことによってもスリットから操作片が外れることはない。
【発明の効果】
【０００８】
本発明によれば、通路幅設定部材を投入口通路の通路幅方向に移動させるときに、端部が商品投入口側に屈曲された操作片によって商品案内板に対する通路幅設定部材の商品投入口側への移動を規制することができるとともに、商品案内板のスリットの廻りの部材が撓むことによるスリットからの操作片の外れを防止することができるので、商品案内板の板厚が小さい場合においても通路幅設定部材の引っ掛かりや脱落を防止することにより、投入口通路の通路幅の設定操作を容易に行うことが可能となる。
【発明を実施するための最良の形態】
【０００９】
図１乃至図８は本発明の一実施形態を示すもので、図１は本発明の商品収納装置を備えた自動販売機の側面断面図、図２は外扉及び内扉を開放した状態を示す自動販売機の全体斜視図、図３は商品案内板及び通路幅設定部材の斜視図、図４は商品案内板及び通路幅設定部材の分解斜視図、図５乃至図７は通路幅設定部材の取付方法を示す商品案内板及び通路幅設定部材の側面断面図、図８は投入口通路の通路幅の設定方法を示す商品案内板及び通路幅設定部材の側面断面図である。
【００１０】
この商品収納装置を備えた自動販売機は、前面を開口した自動販売機本体１と、自動販売機本体１の左右一端に回動自在に支持され、自動販売機本体１の前面開口を開閉する外扉２と、自動販売機本体１内に設けられた商品収納部３と、商品収納部３の前面を開閉する内扉４とを有し、商品収納部３には前後一対の商品収納装置１０が幅方向に複数設けられている。
【００１１】
各商品収納装置１０は、自動販売機本体１の幅方向に対向する一対の側板１１と、一対の側板１１間の前後方向及び上下方向に取付けられた複数の円弧板１２とを備え、一対の側板１１間には、それぞれ上下方向に蛇行して延びる前後一対の商品通路１３が形成されている。商品通路１３には、円筒形状の缶入り飲料やペットボトル入り飲料等の商品が横倒しにした状態で上下方向に積み重ねて収納されるようになっている。各商品通路１３の下方には、商品通路１３内の商品を一つずつ下方に落下搬出する周知の商品搬出機構１４がそれぞれ設けられている。
【００１２】
前後一対の商品収納装置１０のうち前側に位置する商品収納装置１０の上部には、前側及び後側の商品収納装置１０の各商品通路１３に収納する商品をそれぞれ投入するために上下四つの商品投入口１５が設けられている。
【００１３】
各商品投入口１５と各商品通路１３の上端との間には、商品投入口１５から投入された商品を商品通路１３の上端に案内するための投入口通路１６がそれぞれ設けられている。投入口通路１６は、商品投入口１５から商品通路１３の上端に向かって下り傾斜をなすように一対の側板１１間に設けられた商品案内板１７によって形成されている。前後の商品収納装置１０に亘って設けられる投入口通路１６は、各商品収納装置１０ごとに設けられた商品案内板１７によって形成されている。また、投入口通路１６には、商品収納装置１０に収納する商品の長さ寸法に応じた投入口通路１６の幅寸法に設定するための通路幅設定部材１８が設けられている。
【００１４】
商品案内板１７は、前後両端の幅方向に亘ってカーリング加工を施すことによって筒部１７ａが設けられている。また、商品案内板１７には、通路幅設定部材１８の後述する係合片と係合可能な係合孔１７ｂが互いに幅方向に間隔をおいて複数設けられている。各係合孔１７ｂは、前後方向に延びる長孔状に形成されている。前側の商品収納装置１０に取付けられる商品案内板１７の前側には、通路幅設定部材１８の後述する操作片が挿入された状態で幅方向に移動可能なスリット１７ｃが幅方向に延びるように設けられている。また、スリット１７ｃの幅方向一端側には、スリット１７ｃのスリット幅よりも大きく開口され、操作片を挿抜可能な着脱部１７ｄが設けられ、商品案内板１７に対して通路幅設定部材１８を着脱することができるようになっている。
【００１５】
通路幅設定部材１８は、商品投入口１５から商品通路１３の上端に亘って延びる金属製の板状部材からなり、底部及び側部を有するＬ字状に形成されている。通路幅設定部材１８は、底部前端側を下方に向けて曲げるようにカーリング加工を施すことにより、商品案内板１７の筒部１７ａの外周面に巻き付くように円弧状に形成された連結部１８ａが設けられ、商品案内板１７の前端の筒部１７ａに幅方向に移動自在に、且つ、上下方向に回転自在に連結されている。連結部１８は、筒部１７ａの周方向長さの半分以下の外周面に巻き付くように形成されている。また、通路幅設定部材１８には、側部後端側に商品通路１３の通路幅を設定するための図示しない可動側板が連結されている。通路幅設定部材１８の底部の前側及び後側には、底部の幅方向端部から下方に延びる係合片１８ｂがそれぞれ設けられ、係合片１８ｂを商品案内板１７の所定の係合孔１７ｂと係合させることにより通路幅設定部材１８が商品案内板１７に位置決めされるようになっている。通路幅設定部材１８の連結部１８ａと前側の係合片１８ｂとの間には、底部を切り起こすことにより、底部から下方に延びるとともに、端部が前方に屈曲された操作片１８ｃが設けられている。
【００１６】
以上のように構成された自動販売機の商品収納装置１０において、投入口通路１６に通路幅設定部材１８を取付ける場合には、まず、図５に示すように、前側の商品収納装置１０に設けられた商品案内板１７の着脱部１７ｄに通路幅設定部材１８の操作片１８ｃの前端を上方から挿入する。次に、図６に示すように、通路幅設定部材１８の前端を下方に押して、連結部１８ａを撓ませながら商品案内板１７の前側の筒部１７ａに連結させ、係合片１８ｂを所定の係合孔１７ｂと係合させる。これにより、図７に示すように、通路幅設定部材１８が商品案内板１７に取付けられる。
【００１７】
また、通路幅設定部材１８によって設定された投入口通路１６の通路幅を変更する場合には、まず、図８に示すように、商品案内板１７の下方から操作片１８ｃを上方に押し上げることにより通路幅設定部材１８の後端側を持ち上げて係合片１８ｂと係合孔１７ｂとの係合を解除する。次に、操作片１８ｃを上方に押し上げたまま通路幅設定部材１８を通路幅方向に移動させ、所定位置で通路幅設定部材１８の係合片１８ｃを商品案内板１７の所定の係合孔１７ｂに係合させる。このとき、連結部１８ａは商品案内板１７の前端側の筒部１７ａに沿って移動し、操作片１８ｃはスリット１７ｃに沿って移動することから、通路幅設定部材１８は、前端側と後端側が互いに幅方向に位置ずれを生じることなく、投入口通路１６の延びる方向と平行に移動する。通路幅設定部材１８を投入口通路１６の幅方向に移動させるときに、商品案内板１７に対して通路幅設定部材１８を後方に移動させる力が作用すると、商品案内板１７の前端の筒部１７ａの前側に位置する連結部１８ａによって通路幅設定部材１８の移動が規制される。また、商品案内板１７に対して通路幅設定部材１８を前方に移動させる力が作用すると、端部が前方に屈曲されたスリット１７ｃによって通路幅設定部材１８の移動が規制される。即ち、前方に屈曲された操作片１８ｃの端部は、通路幅設定部材１８を投入口通路１６の幅方向に移動させるときに、スリット１７ｃの前側の部材の下方に位置することから、商品案内板１７のスリット１７ｃの廻りの部材が撓むことによって操作片１８ｃがスリット１７ｃから外れることはない。
【００１８】
また、通路幅設定部材１８を投入口通路１６から取外す場合には、まず、操作片１８ｃを上方に押し上げながら通路幅設定部材１８を幅方向に移動させ、操作片１８ｃを着脱部１７ｄに移動させる。次に、通路幅設定部材１８の前端を上方に押し上げて連結部１８ａと商品案内板１７の筒部１７ａの連結を解除し、操作片１８ｃを着脱部１７ｄから抜くことにより、商品案内板１７から通路幅設定部材１８が取外される。
【００１９】
このように、本実施形態の自動販売機の商品収納装置によれば、投入口通路１６の通路幅方向に延びるスリット１７ｃを商品案内板１７に設け、スリット１７ｃ内を投入口通路１６の通路幅方向に移動可能に設けられ、端部を商品投入口１５側に屈曲した操作片１８ｃを通路幅設定部材１８に設けたので、通路幅設定部材１８を投入口通路１６の通路幅方向に移動させるときに、操作片１８ｃによって商品案内板１７に対する通路幅設定部材１８の商品投入口１５側への移動を規制することができるとともに、商品案内板１７のスリット１７ｃの廻りの部材が撓むことによるスリット１７ｃからの操作片１８ｃの外れを防止することができ、商品案内板１７の板厚が小さい場合においても通路幅設定部材１８の引っ掛かりや脱落を防止することにより、投入口通路１６の通路幅の設定操作を容易に行うことが可能となる。
【００２０】
また、通路幅設定部材１８の商品投入口１５側の端部を上方に移動させることにより、商品案内板１７の商品投入口１５側の筒部１７ａと連結部１８ａとの連結を解除可能に設けたので、商品収納装置１０から商品案内板１７を取外すことなく通路幅設定部材１８を取外すことができ、商品収納装置１０のメンテナンス性の向上を図ることが可能となる。
【図面の簡単な説明】
【００２１】
【図１】本発明の一実施形態を示す商品収納装置を備えた自動販売機の側面断面図
【図２】外扉及び内扉を開放した状態を示す自動販売機の全体斜視図
【図３】商品案内板及び通路幅設定部材の斜視図
【図４】商品案内板及び通路幅設定部材の分解斜視図
【図５】通路幅設定部材の取付方法を示す商品案内板及び通路幅設定部材の側面断面図
【図６】通路幅設定部材の取付方法を示す商品案内板及び通路幅設定部材の側面断面図
【図７】通路幅設定部材の取付方法を示す商品案内板及び通路幅設定部材の側面断面図
【図８】投入口通路の通路幅の設定方法を示す商品案内板及び通路幅設定部材の側面断面図
【符号の説明】
【００２２】
１０…商品収納装置、１３…商品通路、１５…商品投入口、１６…投入口通路、１７…商品案内板、１７ａ…筒部、１７ｂ…係合孔、１７ｃ…スリット、１７ｄ…着脱部、１８…通路幅設定部材、１８ａ…連結部、１８ｂ…係合片、１８ｃ…操作片。
【図１】
2007323400.tif 000003
【図２】
2007323400.tif 000004
【図３】
2007323400.tif 000005
【図４】
2007323400.tif 000006
【図５】
2007323400.tif 000007
【図６】
2007323400.tif 000008
【図７】
2007323400.tif 000009
【図８】
2007323400.tif 000010